(57)【要約】  コモンモードノイズフィルタにおいて、第１のコイル（１２）は渦巻状の第１のコイル導体（１６）および第２のコイル導体（１７）で構成されている。第２のコイル（１３）は渦巻状の第３のコイル導体（１８）および第４のコイル導体（１９）で構成されている。上部から第１のコイル導体（１６）、第３のコイル導体（１８）、第２のコイル導体（１７）、第４のコイル導体（１９）の順に積層されている。グランドに接続する第１の金属層（１４）は第１のコイル導体（１６）の上方に設けられている。
2016072078.tif 000002
【特許請求の範囲】
【請求項１】
第１から第５の絶縁体層と、
前記第１の絶縁体層の上面に形成されている渦巻状の第１のコイル導体と、
前記第２の絶縁体層の上面に形成され、前記第１のコイル導体の下方に設けられている渦巻状の第２のコイル導体と、
を有する第１のコイルと、
前記第３の絶縁体層の上面に形成されている渦巻状の第３のコイル導体と、
前記第４の絶縁体層の上面に形成され、前記第３のコイル導体の下
方に設けられている渦巻状の第４のコイル導体と、
を有する第２のコイルと、
前記第５の絶縁体層の上面に形成されている第１の金属層と、
前記第１から前記第４のコイル導体のそれぞれに接続されている第１から第４の外部電極と、
前記第１の金属層に接続され、グランドに接続するように設けられている第５の外部電極と、
を備え、
前記第１のコイル導体および前記第２のコイル導体の間に前記第３のコイル導体が設けられ、
前記第３のコイル導体および前記第４のコイル導体の間に前記第２のコイル導体が設けられ、
前記第１のコイル導体と前記第３のコイル導体とは互いに磁気結合して第１のコモンモードフィルタを形成し、
前記第２のコイル導体と前記第４のコイル導体とは互いに磁気結合して第２のコモンモードフィルタを形成し、
前記第１のコモンモードフィルタは前記第２のコモンモードフィルタと直列に接続され、
前記第１の金属層は、第１のコイル導体の上方に設けられている、コモンモードノイズフィルタ。
【請求項２】
前記第１の金属層は、前記第５の絶縁体層を介して前記第１のコイル導体と対向し、
上面視で前記第１の金属層の全体ではなく一部分が前記第１のコイル導体と対向している、請求項１に記載のコモンモードノイズフィルタ。
【請求項３】
前記第１の金属層は、前記第５の絶縁体層を介して前記第１のコイル導体と対向し、
前記第１のコイル導体の長さと、前記第２のコイル導体の長さとは、互いに異なる、請求項２に記載のコモンモードノイズフィルタ。
【請求項４】
前記第１、前記第２、前記第３、前記第４および前記第５の外部電極と電気的に接続されている第１の静電気通過部をさらに備え、
前記第１の静電気通過部は、所定の値以上の電圧が印加されると通電され、前記所定の値より低い電圧が印加されると絶縁体として機能する、請求項１に記載のコモンモードノイズフィルタ。
【請求項５】
前記第１の静電気通過部は、酸化亜鉛を主成分としたバリスタ材料、またはアルミニウム、ニッケルおよび銅のうち少なくとも１つを含む金属材料、またはシリコン、エポキシおよびフェノールのうち少なくとも１つを含む樹脂材料、または空間からなる、請求項４に記載のコモンモードノイズフィルタ。
【請求項６】
前記第１の静電気通過部および前記第５の外部電極と電気的に接続されている第１の静電気用電極をさらに備える、請求項４に記載のコモンモードノイズフィルタ。
【請求項７】
前記第１、前記第２および前記第５の外部電極と電気的に接続されている第２の静電気通過部と、
前記第３、前記第４および前記第５の外部電極と電気的に接続されている第３の静電気通過部と、をさらに備え、
前記第２および前記３の静電気通過部はともに、所定の値以上の電圧が印加されると通電され、前記所定の値より低い電圧が印加されると絶縁体として機能する、請求項１に記載のコモンモードノイズフィルタ。
【請求項８】
前記第２および前記第３の静電気通過部は、酸化亜鉛を主成分としたバリスタ材料、またはアルミニウム、ニッケルおよび銅のうち少なくとも１つを含む金属材料、またはシリコン、エポキシおよびフェノールのうち少なくとも１つを含む樹脂材料、または空間からなる、請求項７に記載のコモンモードノイズフィルタ。
【請求項９】
前記第２の静電気通過部、前記第３の静電気通過部および前記第５の外部電極と電気的に接続されている第１の静電気用電極をさらに備える、請求項７に記載のコモンモードノイズフィルタ。
【請求項１０】
前記第４のコイル導体の下方で、グランドに接続するように設けられている第２の金属層をさらに備える、
請求項１に記載のコモンモードノイズフィルタ。
【請求項１１】
前記第３のコイル導体と前記第２のコイル導体との間の距離は、前記第１のコイル導体と前記第３のコイル導体との間の距離および前記第２のコイル導体と前記第４のコイル導体との間の距離よりも長い、請求項１または１０のいずれかに記載のコモンモードノイズフィルタ。
【請求項１２】
前記第１のコイル導体と前記第１の金属層との間に第５のコイル導体をさらに備え、
前記第５のコイル導体の一方の端部は前記第１のコイル導体と接続され、前記第５のコイル導体の他方の端部は開放され、
前記第１のコイル導体に流れる電流の向きと前記第５のコイル導体に流れる電流の向きは上面視で同じである、請求項１または４のいずれかに記載のコモンモードノイズフィルタ。
【請求項１３】
第１から第５の絶縁体層と、
前記第１の絶縁体層の上面に形成されている渦巻状の第１のコイル導体と、
前記第２の絶縁体層の上面に形成され、前記第１のコイル導体の下方に設けられている渦巻状の第２のコイル導体と、
を有する第１のコイルと、
前記第３の絶縁体層の上面に形成されている渦巻状の第３のコイル導体と、
前記第４の絶縁体層の上面に形成され、前記第３のコイル導体の下方に設けられている渦巻状の第４のコイル導体と、
を有する第２のコイルと、
前記第５の絶縁体層の上面に形成されている第１の金属層と、
前記第１から前記第４のコイル導体のそれぞれに接続されている第１から第４の外部電極と、
前記第１の金属層に接続され、グランドに接続するように設けられている第５の外部電極と、
を備え、
前記第２のコイル導体および前記第３のコイル導体の間に前記第１のコイル導体が設けられ、
前記第１のコイル導体および前記第４のコイル導体の間に前記第２のコイル導体が設けられ、
前記第１のコイル導体と前記第３のコイル導体とは互いに磁気結合して第１のコモンモードフィルタを形成し、
前記第２のコイル導体と前記第４のコイル導体とは互いに磁気結合して第２のコモンモードフィルタを形成し、
前記第１のコモンモードフィルタは前記第２のコモンモードフィルタと直列に接続され、
前記第１の金属層は、第３のコイル導体の上方に設けられている、コモンモードノイズフィルタ。
【請求項１４】
前記第４のコイル導体の下方で、グランドに接続するように設けられる第２の金属層をさらに備える、
請求項１３に記載のコモンモードノイズフィルタ。
【請求項１５】
前記第１のコイル導体と前記第２のコイル導体との間の距離は、前記第１のコイル導体と前記第３のコイル導体との間の距離および前記第２のコイル導体と前記第４のコイル導体との間の距離よりも長い、請求項１３または１４のいずれかに記載のコモンモードノイズフィルタ。
【請求項１６】
前記第３のコイル導体と前記第１の金属層との間に第５のコイル導体をさらに備え、
前記第５のコイル導体の一方の端部は前記第３のコイル導体と接続され、前記第５のコイル導体の他方の端部は開放され、
前記第３のコイル導体に流れる電流の向きと前記第５のコイル導体に流れる電流の向きは上面視で同じである請求項１３に記載のコモンモードノイズフィルタ。
【発明の詳細な説明】
【技術分野】
【０００１】
本発明は、デジタル機器やＡＶ機器、情報通信端末等の各種電子機器に使用される小形で薄型のコモンモードノイズフィルタに関するものである。
【背景技術】
【０００２】
図１６に従来のコモンモードノイズフィルタ５００を示す。従来のコモンモードノイズフィルタ５００は、絶縁体層１ａから１ｇを積層してなり、絶縁体層１ｂから１ｅの上面のそれぞれにはコイル２とコイル３が形成される。コイル２は、渦巻状のコイル導体４ａと渦巻状のコイル導体４ｂを有する。コイル導体４ａとコイル導体４ｂは、互いに接続されている。コイル３は、渦巻状のコイル導体５ａと渦巻状のコイル導体５ｂを有する。コイル導体５ａとコイル導体５ｂは互いに接続されている。コイル２を構成するコイル導体４ａ、４ｂと、コイル３を構成するコイル導体５ａ、コイル導体５ｂとは交互に配置されている。コイル導体４ａとコイル導体５ａとは互いに磁気結合してコモンモードフィルタ６を形成する。コイル導体４ｂとコイル導体５ｂとは互いに磁気結合してコモンモードフィルタ７を形成する。コモンモードフィルタ６とコモンモードフィルタ７は互いに直列に接続されることで、コモンモードに対するコモンモードノイズフィルタ５００のインピーダンスが増大し、コモンモードノイズが除去される。【０００３】
なお、上記のようなコモンモードノイズフィルタに関する技術は、例えば特許文献１に開示されている。
【先行技術文献】
【特許文献】
【０００４】
【特許文献１】特開２００２−３７３８１０号公報
【発明の概要】
【０００５】
コモンモードノイズフィルタは、第１から第５の絶縁体層と、第１の絶縁体層の上面に形成されている渦巻状の第１のコイル導体と、第２の絶縁体層の上面に形成され、第１のコイル導体の下方に設けられている渦巻状の第２のコイル導体とを有する第１のコイルとを備える。さらに第３の絶縁体層の上面に形成され、渦巻状の第３のコイル導体と、第４の絶縁体層の上面に形成され、第３のコイル導体の下方に設けられている渦巻状の第４のコイル導体とを有する第２のコイルを備える。さらに第５の絶縁体層の上面に形成されている第１の金属層と、第１から第４のコイル導体のそれぞれに接続されている第１から第４の外部電極と、第１の金属層に接続され、グランドに接続するように設けられている第５の外部電極とを備える。そして第１のコイル導体および第２のコイル導体の間に第３のコイル導体が設けられ、第３のコイル導体および第４のコイル導体の間に第２のコイル導体が設けられ、第１のコイル導体と第３のコイル導体とは互いに磁気結合して第１のコモンモードフィルタを形成し、第２のコイル導体と第４のコイル導体とは互いに磁気結合して第２のコモンモードフィルタを形成する。第１のコモンモードフィルタは第２のコモンモードフィルタと直列に接続され第１の金属層は、第１のコイル導体の上方に設けられている。
【０００６】
第１、第２、第３および第４のコイル導体の位置関係における他の形態として、第３のコイル導体および第２のコイル導体の間に第１のコイル導体が設けられ、第１のコイル導体および第４のコイル導体の間に第２のコイル導体が設けられていてもよい。
【０００７】
また、所定の値以上の電圧が印加されると通電され、前記所定の値より低い電圧が印加されると絶縁体として機能し、第１、第２、第３、第４および第５の外部電極と電気的に接続されている第１の静電気通過部をさらに備えてもよい。
【０００８】
また、上記同様に機能し、第１、第２および第５の外部電極と電気的に接続されている第２の静電気通過部と、第３、第４および第５の外部電極と電気的に接続されている第３の静電気通過部と、をさらに備えてもよい。
【０００９】
上記、コモンモードノイズフィルタは、特に広帯域でのコモンモードノイズの減衰特性を向上させることができる。
【図面の簡単な説明】
【００１０】
【図１】図１は、実施の形態１におけるコモンモードノイズフィルタの分解斜視図である。
【図２】図２は、図１のコモンモードノイズフィルタの斜視図である。
【図３】図３は、図１のコモンモードノイズフィルタの回路模式図である。
【図４】図４は、図１のコモンモードノイズフィルタと従来のコモンモードノイズフィルタのコモンモードノイズの減衰特性を比較した図である。
【図５】図５は、実施の形態１における他のコモンモードノイズフィルタの分解斜視図である。
【図６】図６は、実施の形態２におけるコモンモードノイズフィルタの分解斜視図である。
【図７】図７は、図６のコモンモードノイズフィルタの回路模式図である。
【図８】図８は、図６のコモンモードノイズフィルタと従来のコモンモードノイズフィルタのコモンモードノイズ減衰特性を比較した図である。
【図９】図９は、図６のコモンモードノイズフィルタと従来のコモンモードノイズフィルタの差動信号の振幅バランス度を比較した図である。
【図１０】図１０は、図６のコモンモードノイズフィルタと従来のコモンモードノイズフィルタの差動信号の位相バランス度を比較した図である。
【図１１】図１１は、図６のコモンモードノイズフィルタと従来のコモンモードノイズフィルタのモード変換特性を比較した図である。
【図１２】図１２は、実施の形態３におけるコモンモードノイズフィルタの分解斜視図である。
【図１３】図１３は、図１２のコモンモードノイズフィルタの回路模式図である。
【図１４】図１４は、実施の形態４におけるコモンモードノイズフィルタの分解斜視図である。
【図１５】図１５は、図１４のコモンモードノイズフィルタと従来のコモンモードノイズフィルタのコモンモードノイズ減衰特性を比較した図である。
【図１６】図１６は、従来のコモンモードノイズフィルタの分解斜視図である。
【発明を実施するための形態】
【００１１】
図１６を参照してコモンモードノイズフィルタ５００の課題を説明する。
【００１２】
近年のスマートフォンに代表されるようなモバイル端末においては、複数の通信方式と通信帯域を考慮して設計する必要がある。特に、セルラー系無線方式では７００ＭＨｚから３ＧＨｚの広い通信周波数帯域で使用され、ノイズフィルタにおいてもこの通信周波数帯域でのノイズ減衰特性が望まれている。
【００１３】
しかし、図１６のコモンモードノイズフィルタ５００は、コモンモードノイズが入ってきたときに、コモンモードフィルタ６とコモンモードフィルタ７がインダクタとして機能しコイル導体４ａとコイル導体５ａとが互いに上下方向で磁気結合する。コイル導体４ｂとコイル導体５ｂとが互いに上下方向で磁気結合するので、コモンモードノイズフィルタ５００におけるコイル２の入出力間およびコイル３の入出力間でそれぞれのインピーダンスが高くなり、入出力間に電位差が生じるので、入出力間に浮遊容量が発生する。これにより、高周波領域になると自己共振が起こり、自己共振周波数以上の高周波領域ではコモンモードインピーダンスが低下するので、高周波領域のコモンモードノイズの減衰特性が劣化する。この結果、広帯域ではコモンモードノイズの減衰が得られないという課題を有する。
【００１４】
以下、広帯域でコモンモードノイズの減衰特性を向上させることができるコモンモードノイズフィルタについて図面を参照しながら説明する。
【００１５】
（実施の形態１）
図１は実施の形態１におけるコモンモードノイズフィルタ１００１の分解斜視図である。図２はコモンモードノイズフィルタ１００１の斜視図である。
【００１６】
コモンモードノイズフィルタ１００１は、図１に示すように、絶縁体層１１ａ〜１１ｈと、絶縁体層１１ｂ〜１１ｅの上面に形成されたコイル１２、コイル１３と、絶縁体層１１ｇの上面にはグランドに接続するための金属層１４を有する。絶縁体層１１ａ〜１１ｈ、コイル１２、コイル１３および金属層１４を積層して図２に示す積層体１５を形成する。
【００１７】
コイル１２は、渦巻状のコイル導体１６および渦巻状のコイル導体１７を有し、コイル導体１６とコイル導体１７は互いに電気的に直列に接続される。コイル１３は、渦巻状のコイル導体１８および渦巻状のコイル導体１９を有し、コイル導体１８とコイル導体１９は互いに電気的に直列に接続される。
【００１８】
コイル導体１８は、コイル導体１６とコイル導体１７との間に設けられ、コイル導体１７は、コイル導体１８とコイル導体１９との間に設けられる。具体的には、コイル導体１６〜１９は、上方からコイル導体１６、コイル導体１８、コイル導体１７、コイル導体１９の順に配置されている。
【００１９】
コイル導体１６は、絶縁体層１１ｅの上面に形成され、コイル導体１７は絶縁体層１１ｃの上面に形成され、コイル導体１８は絶縁体層１１ｄの上面に形成され、コイル導体１９は絶縁体層１１ｂの上面に形成されている。
【００２０】
すなわち、コイル１２のコイル導体１６およびコイル導体１７と、コイル１３のコイル導体１８およびコイル導体１９とは交互に配置される。
【００２１】
コイル導体１６とコイル導体１８とは互いに磁気結合してコモンモードフィルタ２０を形成し、コイル導体１７とコイル導体１９とは互いに磁気結合してコモンモードフィルタ２１を形成する。コモンモードフィルタ２０とコモンモードフィルタ２１とは互いに直列に接続されている。金属層１４は、コイル導体１６の上方に形成されている。
【００２２】
コモンモードノイズフィルタ１００１において、絶縁体層１１ａ〜１１ｈは、絶縁体層１１ａから順に積層される。絶縁体層１１ｂ〜１１ｆは、強磁性体ではない材料として例えば常磁性体や非磁性体があげられる。非磁性体の具体的な材料としては、Ｃｕ−Ｚｎフェライトまたはガラスセラミック等があげられる。絶縁体層１１ａ、１１ｇおよび１１ｈは、強磁性体の材料からなり、強磁性体の具体的な材料としてはＮｉ−Ｃｕ−Ｚｎフェライト等があげられる。
【００２３】
なお、絶縁体層１１ｂ〜１１ｆを構成する材料は、非磁性体である非晶質または結晶質のガラスを使用するのが好ましい。
【００２４】
コイル導体１６〜１９は、銀等の導電材料からなり、めっき工法または印刷工法で渦巻状に形成される。なお、コイル導体１６〜１９の他の形成方法としてはスパッタやエッチングを用いた薄膜工法で形成してもよい。薄膜工法で形成された渦巻状のコイルの上面にさらにめっき工法で渦巻状のコイルを形成してもよい。
【００２５】
コイル導体１６とコイル導体１８の一部は、上面視で略同じ位置に配置される。コイル導体１６とコイル導体１８が巻回される方向は同一である。上記の構成により、コイル導体１６とコイル導体１８は磁気結合しコモンモードフィルタ２０を形成する。同様にコイル導体１７とコイル導体１９の一部も、上面視で略同じ位置に配置される。コイル導体１７とコイル導体１９が巻回される方向は同一である。上記の構成によりコイル導体１７とコイル導体１９は磁気結合しコモンモードフィルタ２１を形成する。
【００２６】
コイル導体１６とコイル導体１７は、絶縁体層１１ｄと絶縁体層１１ｅを貫通する貫通孔にそれぞれ形成されたビア電極１２ａで互いに電気的に接続される。
【００２７】
コイル導体１８とコイル導体１９は、絶縁体層１１ｃと絶縁体層１１ｄを貫通する貫通孔にそれぞれ形成されたビア電極１３ａで互いに電気的に接続される。
【００２８】
なお、絶縁体層１１ｄと絶縁体層１１ｅにそれぞれ形成された２つのビア電極１２ａは上面視にて同じ位置に設けられる。絶縁体層１１ｃ、１１ｄにそれぞれ形成された２つのビア電極１３ａも同様に上面視にて同じ位置に設けられる。ビア電極１２ａおよびビア電極１３ａは、絶縁体層１１ｄ、１１ｅ、１１ｃおよび１１ｄの所定の箇所に、レーザで孔をあけて貫通孔を形成し、これらの貫通孔に銀等の導電材料を充填して形成される。
【００２９】
金属層１４は、銀または銀パラジウム合金等の金属材料からなり、絶縁体層１１ｇの上面に印刷工法、めっき工法または金属箔を貼り付ける等して板状で連続的に形成する。
【００３０】
金属層１４は、コイル導体１６〜１９のうち最も上方に位置するコイル導体１６よりも上方に配置される。金属層１４は、コイル１２、１３のうちコイル１２と対向し、かつ金属層１４はコイル１２の全体ではなくコイル導体１６、１７のうちのコイル導体１６と対向する。
【００３１】
なお、コイル導体１６は、上面視で金属層１４の全体と対向する構成でなくてもよく、例えば金属層１４の一部分と対向する構成でもよい。コイル導体１６と金属層１４とが対向する面積は、上面視でコイル導体１６の線幅や長さを変更して適宜調整することができる。コイル導体１６と金属層１４とが対向する面積を調整することで、コイル導体１６と金属層１４との間で発生する容量成分を調整することができる。また、金属層１４の面積を変更してコイル導体１６と金属層１４とが対向する面積を調整してもよい。
【００３２】
コイル導体１６とコイル導体１７の長さの和と、コイル導体１８とコイル導体１９の長さの和は実質的に等しい方が好ましい。実質的に等しくすることで差動信号のバランスが良くなり、差動信号の損失が大きくなるのを防止することができる。この場合、コイル導体１６とコイル導体１７の長さを異ならせることで、コイル導体１６と金属層１４とが対向する面積を調整し、コイル導体１６と金属層１４との間で発生する容量成分を調整することができる。
【００３３】
なお、図１では金属層１４の上下面に磁性材料からなる絶縁体層１１ｈ、１１ｆが設けられているが、必ずしも金属層１４の上下面に磁性材料を設けなくてもよい。
【００３４】
なお、積層される絶縁体層１１ａ〜１１ｈの数は、図１に示された枚数に限られるものではない。また絶縁体層１１ａ〜１１ｈを構成する材料は同一であってもよい。
【００３５】
上記した構成により、図２に示す積層体１５が形成される。積層体１５の互いに反対側の一対の端面には、コイル導体１６〜１９とそれぞれ電気的に接続する外部電極２２〜２５が設けられる。積層体１５の互いに反対側の一対の端面には、金属層１４と電気的に接続される外部電極２６が設けられる。金属層１４は、引出用電極１４ａを介して外部電極２６に接続される。
【００３６】
外部電極２２〜２６は、積層体１５の一対の端面および一対の側面に印刷工法で銀を形成する。この銀の表面にはめっき工法でニッケル層を形成してもよい。このニッケル層の表面にめっき工法でさらに錫やはんだ材料等の低融点金属を形成してもよい。
【００３７】
図３は、実施の形態１におけるコモンモードノイズフィルタ１００１の回路模式図である。
【００３８】
上記したようにコモンモードノイズフィルタ１００１では、コイル１２が渦巻状のコイル導体１６および渦巻状のコイル導体１７を有する。コイル１３は渦巻状のコイル導体１８および渦巻状のコイル導体１９を有する。コイル導体１６とコイル導体１８とは互いに磁気結合してコモンモードフィルタ２０を形成する。コイル導体１７とコイル導体１９とは互いに磁気結合してコモンモードフィルタ２１を形成する。コモンモードフィルタ２０はコモンモードフィルタ２１と直列に接続される。コイル導体１６〜１９は、上方からコイル導体１６、コイル導体１８、コイル導体１７、コイル導体１９の順に配置される。
【００３９】
特に金属層１４が、コイル導体１６〜１９のうち最も上方に位置するコイル導体１６よりも上方に配置されることで、コモンモードノイズが入ってきたときに、広帯域でコモンモードノイズを減衰させることができる。これは、コイル１２の全体ではなく主にコイル導体１６とグランドに接続された金属層１４との間で容量成分を発生させて、かつコイル導体１７と金属層１４とで容量成分を実質的に発生させないことで２つの減衰極を得ることができる。
【００４０】
一方、図１６の従来のコモンモードノイズフィルタ５００では、コモンモードノイズが入ってきたときに、コモンモードフィルタ６とコモンモードフィルタ７がインダクタとして機能する。周波数が高くなるとそのインダクタのインピーダンスも高くなり、コモンモードノイズフィルタ５００の入出力部で電位差が発生し、入出力間で浮遊容量が発生し、自己並列共振してしまう。
【００４１】
従来のコモンモードノイズフィルタ５００に対して、実施の形態１のコモンモードノイズフィルタ１００１では、コモンモードフィルタ２０とコモンモードフィルタ２１がインダクタとして機能し、コモンモードノイズを除去する。さらに周波数が高くなるとコイル導体１６と金属層１４との間の容量成分によりインピーダンスが低下し、コモンモードノイズフィルタ１００１の入出力間の電位差が高くなりすぎるのを抑制することができる。さらに入出力間の浮遊容量の発生を抑制することでコイル１２、１３の自己並列共振周波数が高くなる。
【００４２】
実施の形態１のコモンモードノイズフィルタ１００１は、コイル導体１６と金属層１４との間の容量成分によりコモンモードノイズをグランドへバイパスすることができるので、広帯域でコモンモードノイズ減衰させることができる。
【００４３】
一方、金属層１４を設けない場合は、コイル１２、１３の自己並列共振時にコイル１２、１３のインピーダンスが上昇することによってコイル１２の入出力間に電位差が生じるため、コイル１２の出力部分とグランドの間にも大きな電位差が生じる。この電位差とグランド接続された金属層１４との間の容量成分によって、同時にコイル１２の出力とグランドとの間に直列共振が発生する。
【００４４】
実施の形態１のコモンモードノイズフィルタ１００１では、金属層１４とコイル導体１６との間でのみ小さな容量が発生し、金属層１４とコイル導体１７との間では容量が発生しないので、コイル１２、１３の自己並列共振時に、コイル導体１７とグランドとの間では直列共振しにくい。これにより、コイル１２、１３の自己並列共振と、コイル導体１６とグランドとの間の容量との直列共振を分離、調整することができるので、コモンモードノイズの減衰量の周波数特性において２つの減衰極を有することになり、結果、広帯域でコモンモードノイズを減衰させることができる。
【００４５】
次に実施の形態１におけるコモンモードノイズフィルタ１００１について詳細に説明する。
【００４６】
図４は、実施例として図１に記載の実施の形態１のコモンモードノイズフィルタと、比較例として図１６に記載の従来のコモンモードノイズフィルタとのコモンモードノイズの減衰特性を比較した図である。
【００４７】
図４から明らかなように、本実施例のコモンモードノイズフィルタは比較例のコモンモードノイズフィルタよりも高い周波領域でコモンモードノイズを減衰させることができ、さらにセルラー系無線方式の通信周波数帯域である７００ＭＨｚから３ＧＨｚの広帯域でコモンモードノイズを減衰させることができる。
【００４８】
図４に示すコモンモードノイズ減衰特性において、比較例のコモンモードノイズフィルタでは８００ＭＨｚ近傍にコイル２、コイル３の自己共振周波数が有る。これに対して、本実施例のコモンモードノイズフィルタでは、２ＧＨｚ近傍にコイル１２とコイル１３の自己共振周波数が有りコイル１２、１３がインダクタとして機能することでコモンモード減衰させることができる。さらに３ＧＨｚ近傍まではグランド接続された金属層１４との間の容量成分の共振周波数帯までグランドへのバイパス効果で高いコモンモード減衰能力を実現することができる。
【００４９】
したがって、コイル１２の全体ではなくコイル導体１６と、グランドに接続された金属層１４との間で容量成分を発生させることで、コモンモードノイズが入ってきたときにインダクタとして機能する。そのため自己共振周波数を高い周波領域に位置させコモンモードノイズの減衰特性を向上させるとともに、高い周波領域ではグランドへのバイパス効果で減衰特性を得ることができる。
【００５０】
また、所望の特性に応じて、コイル１２の全体の長さに対するコイル導体１６の長さの割合を変動させることができる。すなわち、コイル１２とグランドに接続された金属層１４との対向する面積を調整することにより、コイル１２と金属層１４との間の容量成分を調整することができるので、コモンモードノイズの減衰極となる周波数を調整できる。
【００５１】
一方、差動（ディファレンシャルモード）のデジタル信号が入ってきたときには、コイル１２、１３では各々に発生する磁界が相殺されインピーダンスは増加しないので、コイル１２とコイル１３の間で電位差は発生せず、コイル１２、１３は低損失な伝送線路として機能する。これにより、コイル１２、１３と金属層１４との間で共振することはないでの、コモンモードノイズフィルタ１００１は差動デジタル信号を劣化させることなく信号の品質を維持できる。
【００５２】
さらに、コイル導体１６と金属層１４との間の距離を調整して容量成分を変えたり、コイル導体１６〜１９の長さを変えたりして、コイル導体１６とグランドとの間の直列共振の共振周波数や、コイル１２、１３の自己並列共振の共振周波数を調整できる。このとき、コイル１２、１３の共振周波数を近づけたり一致させたりすることによって、特定の周波数で大きな減衰量を確保できる。
【００５３】
外部電極２２〜２５と金属層１４との間に、所定の値以上の電圧が印加されると通電され、所定値より低い電圧が印加されると絶縁体として機能する静電気通過部２７ａ、２７ｂを形成してもよい。これにより、コモンモードノイズフィルタ１００１はコモンモードノイズを減衰させるだけでなく、過電圧が印加されても、電子機器を過電圧から保護できる。
【００５４】
図５は、絶縁体層１１ａの下方に静電気通過部２７ａ、２７ｂを備えた実施の形態１の他のコモンモードノイズフィルタ１００２の分解斜視図である。図５において、図１に示すコモンモードノイズフィルタ１００１と同じ部分には同じ参照番号を付す。なお、図５では、説明を簡単にするために絶縁体層１１ｂより上方の構成は省略する。また、図５では、図２に示す外部電極２２〜２６は省略するが、同じ位置に設けられている。
【００５５】
図５のコモンモードノイズフィルタ１００２は、絶縁体層１１ａの下方に設けられ非磁性体からなる絶縁体層１１ｊに外部電極２２〜２５にそれぞれ接続された静電気用電極２８ａ〜２８ｄを有する。また、コモンモードノイズフィルタ１００２は、外部電極２６と接続する静電気用電極２９をさらに有する。静電気用電極２８ａ、２８ｂの外部電極２２、２３と接続されている部分の反対側の先端部１２８ａ、１２８ｂは静電気通過部２７ａの中に形成され、静電気用電極２８ｂの外部電極２４、２５と接続されている部分の反対側の先端部１２８ｃ、１２８ｄは静電気通過部２７ｂの中に形成される。具体的には、静電気用電極２８ａ、２８ｂの先端部１２８ａ、１２８ｂは静電気通過部２７ａの下方で静電気通過部２７ａと絶縁体層１１ｊとの間にまで延び、静電気用電極２８ｃ、２８ｄの先端部１２８ｃ、１２８ｄは静電気通過部２７ｂの下方で静電気通過部２７ｂと絶縁体層１１ｊとの間にまで延びる。これにより静電気用電極２８ａ、２８ｂは静電気通過部２７ａと大きい面積で接触し、静電気用電極２８ｃ、２８ｄは静電気通過部２７ｂと大きい面積で接触する。静電気用電極２９は、絶縁体層１１ｊの一方の側面から反対側の他方の側面まで静電気通過部２７ａ、２７ｂの下面に当接するように一直線状に形成される。静電気用電極２８ａ〜２８ｄの先端部１２８ａ〜１２８ｄのそれぞれと静電気用電極２９との間には隙間２９ｓが設けられる。
【００５６】
すなわち、外部電極２２を介してコイル導体１６と静電気用電極２８ａが電気的に接続される。同様に、コイル導体１７と静電気用電極２８ｂが電気的に接続され、コイル導体１８と静電気用電極２８ｃが電気的に接続され、コイル導体１９と静電気用電極２８ｄが電気的に接続される。また、外部電極２６を介して金属層１４の引出用電極１４ａと静電気用電極２９とが電気的に接続され、外部電極２６と静電気通過部２７ａ、２７ｂとが静電気用電極２９を介して接続される。従って、外部電極２２と外部電極２３との間には静電気通過部２７ａが設けられて接続され、外部電極２４と外部電極２５との間には静電気通過部２７ｂが設けられて接続される。
【００５７】
外部電極２２と外部電極２３との間にコイル１２と静電気通過部２７ａと静電気通過部２７ｂとが互いに並列に接続されている。過電圧となる所定の値以上の電圧が外部電極２２または外部電極２３に印加されると静電気通過部２７ａから外部電極２６を介してグランドへ電流が流れる。外部電極２４と外部電極２５との間においても同様に、過電圧となる所定の値以上の電圧が外部電極２４または外部電極２５に印加されると静電気通過部２７ｂから外部電極２６を介してグランドへ電流が流れる。
【００５８】
静電気用電極２８ａ〜２８ｄと静電気用電極２９の上面に、非磁性体からなる絶縁体層１１ｋを形成して静電気用電極２８ａ〜２８ｄと静電気用電極２９を非磁性体で挟む。さらに絶縁体層１１ｊの下面に磁性体からなる絶縁体層１１ｍを形成する。
【００５９】
静電気通過部２７ａ、２７ｂは、印加される電圧に依存して変化する抵抗を有する電圧依存性抵抗材料を絶縁体層１１ｊ上に印刷工法または塗布等で形成することによって構成される。電圧依存性抵抗材料としては、酸化亜鉛を主成分とするセラミック材料等のバリスタ材料、またはアルミニウムとニッケルと銅とのうち少なくとも１つを含む金属材料、またはシリコンとエポキシとフェノールとのうち少なくとも１つを含む樹脂材料を使用することができる。
【００６０】
また、静電気用電極２８ａ〜２８ｄと静電気用電極２９は、銀または銀パラジウム合金等の金属材料からなり、絶縁体層１１ｊの上面には印刷工法、めっき工法またはその金属材料よりなる金属箔を貼り付ける等の方法で板状に形成する。
【００６１】
上記の構成では、コイル導体１６〜１９を、板状の金属で構成された金属層１４と、板状の金属で構成された静電気用電極２８ａ〜２８ｄと静電気用電極２９とで挟む構成であり、例えばコイル導体１６、１９の一方の上方にのみ板状の金属を設けた構成と比較して積層体１５全体の密度の偏りを低減させることができる。
【００６２】
また、グランドに接続される外部電極２６と接続された静電気用電極２９を図１に示すコモンモードノイズフィルタ１００１の金属層１４として用いることで製品の薄型化が可能となる。さらに、コイル１２、１３、静電気用電極２８ａ〜２８ｄおよび静電気用電極２９との間の浮遊容量によってコモンモードノイズを減衰させる効果も期待できる。
【００６３】
なお、静電気通過部２７ａ、２７ｂと静電気用電極２８ａ〜２８ｄと静電気用電極２９とを形成する箇所は、絶縁体層１１ａの下方に限定されず、例えば金属層１４とコイル導体１６との間であってもよい。
【００６４】
また、静電気通過部２７ａ、２７ｂは電圧依存性抵抗材料で構成する代わりに、空間で構成されていてもよい。静電気用電極２８ａ〜２８ｄおよび静電気用電極２９の全部またはその一部が異なる層に設けられていてもよい。また、金属層１４が形成された絶縁体層１１ｇの上面に外部電極２２〜２５と接続する他の金属層を設け、この他の金属層と金属層１４との間に隙間を形成したり、コイル導体１６〜１９のそれぞれの近傍に外部電極２６と接続する他の金属層を設け、他の金属層とコイル導体１６〜１９との間に隙間を形成したりし、この隙間を静電気通過部２７ａと静電気通過部２７ｂとしてもよい。
【００６５】
なお、実施の形態１におけるコモンモードノイズフィルタ１００１では、金属層１４を、コイル導体１６〜１９のうち最も上方に位置するコイル導体１６の上方に設けたがコイル導体１６〜１９のうち最も下方に位置するコイル導体１９の下方に設けてもよい。
【００６６】
（実施の形態２）
図６は実施の形態２におけるコモンモードノイズフィルタ２００１の分解斜視図である。なお、実施の形態２においては、実施の形態１と同様の構成を有するものについては、同一符号を付す。
【００６７】
実施の形態２におけるコモンモードノイズフィルタ２００１は、図１に示す実施の形態１におけるコモンモードノイズフィルタ１００１に対して、図６に示すように、コイル導体１６〜１９のうち最も下方に位置するコイル導体１９の下方に配置された金属層１１４をさらに備える。
【００６８】
金属層１１４は絶縁体層１１ｉの上面に形成される。これにより、金属層１４がコイル１２、１３のうちコイル１２のみと対向してコイル１３とは対向せず、金属層１１４がコイル１２、１３のうちコイル１３のみと対向してコイル１２とは対向しない。さらに、金属層１４、１１４はコイル１２、１３の全体ではなくコイル導体１６、１９とそれぞれ対向する。
【００６９】
図７は、実施の形態２のコモンモードノイズフィルタ２００１の回路模式図である。
【００７０】
図８は、実施例として図６に記載の実施の形態２のコモンモードノイズフィルタ２００１と、比較例として図１６に記載の従来のコモンモードノイズフィルタ５００とのコモンモードノイズ減衰特性を比較した図である。
【００７１】
図８から明らかなように、本実施例のコモンモードノイズフィルタは比較例のコモンモードノイズフィルタよりも高周波領域でのコモンモードノイズを減衰させることができ高周波領域でのコモンモードノイズの減衰量が大きい。
【００７２】
実施例では、コイル導体１６と金属層１４との間の浮遊容量と、コイル導体１９と金属層１１４との間の浮遊容量とが発生するので、高周波領域のコモンモードノイズの減衰量が大きくなる。
【００７３】
また、比較例のコモンモードノイズフィルタでは、コイル導体５ａとコイル導体４ｂを流れる差動信号はその間の浮遊容量によってコイル３を通る信号とコイル２を通る信号のバランスが崩れ劣化する。よって、コモンモードフィルタ７とコモンモードフィルタ６のそれぞれでディファレンシャルモード信号のバランス度が劣化してしまう可能性がある。
【００７４】
図９は、実施例として図６に記載の実施の形態２のコモンモードノイズフィルタと、比較例として図１６に記載の従来のコモンモードノイズフィルタとの差動（ディファレンシャルモード）信号の振幅バランス度を比較した図である。
【００７５】
図１０は、同差動信号の位相バランス度を比較した図である。図１１は、同モード変換特性を比較した図である。なお、振幅バランス度および位相バランス度とはコモンモードノイズフィルタに入力される前の差動信号の振幅および位相と、コモンモードノイズフィルタに入力された後の差動信号の振幅および位相のずれがゼロ（理想状態）を表し理想状態に近いほど差動信号の質が高いことを示す。
【００７６】
図９から図１１から明らかなように、本実施例のコモンモードノイズフィルタは、比較例のコモンモードノイズフィルタよりも差動（ディファレンシャルモード）信号のバランス度が振幅と位相両方において高い。本実施例に対して比較例における劣化した成分（差動のアンバランス分）は、コモンモード成分に変換されてしまう。つまり、差動信号が比較例のコモンモードフィルタの内部を通過する際にコモンモードノイズを発生させてしまう可能性がある。特に、スマートフォンなどのセルラー系無線方式の携帯端末は７００ＭＨｚから３ＧＨｚまでの通信周波数帯域を使用する。差動信号が７００ＭＨｚから３ＧＨｚまでの周波数成分を有する場合、差動信号の一部が７００ＭＨｚから３ＧＨｚのコモンモードノイズに変換されてしまい、このコモンモードノイズにより携帯端末のセルラー系無線部の受信感度が劣化されてしまう。
【００７７】
一方、本実施例におけるコモンモードノイズフィルタでは、その間で浮遊容量が発生しないコイル導体１６、１９に金属層１４、１１４をそれぞれ対向させて、金属層１４、１１４との間の微小容量によってコイル導体１６、１９に流れる差動信号の振幅及び位相のバランス度が理想状態になるように調整することができる。このように、本実施例のコモンモードノイズフィルタはディファレンシャルモード信号のバランス度を調整することができるので、モード変換が発生しにくくなり、コモンモードノイズを発生させてしまうことも少なくなる。特に図９および図１０に示すように、セルラー系無線方式での７００ＭＨｚから３ＧＨｚの通信周波数帯域で、本実施例におけるコモンモードノイズフィルタは比較例のコモンモードノイズフィルタよりも差動信号の振幅バランス度と位相バランス度が良く、モード変換が発生しにくくなっている。
【００７８】
なお、実施の形態１におけるコモンモードノイズフィルタ１００１の実施例においては、コイル導体１６と金属層１４の間にのみ容量が形成されるので、コモンモードフィルタ２０においては、ディファレンシャルモード信号のバランス度が改善される。しかしながら、実施の形態２におけるコモンモードノイズフィルタ２００１の実施例では、コモンモードフィルタ２０、２１の両方でディファレンシャルモード信号のバランス度が改善されるので実施の形態１で説明した実施例よりも好ましい。
【００７９】
また、実施の形態１、２において、コイル導体１８とコイル導体１７との間の距離をコイル導体１６とコイル導体１８との間の距離およびコイル導体１７とコイル導体１９との間の距離より長くしてもよい。上記構成により、差動（ディファレンシャルモード）信号が流れるときの、コイル導体１８とコイル導体１７との間の浮遊容量が減るので、モード変換が少なくなり、差動（ディファレンシャルモード）信号の劣化をあらかじめ低減できるので、金属層１４による容量調整が容易となる。また、金属層１４に対向したコイル導体１６とコイル導体１８との間の距離が広がることで磁気結合が弱まり、コイル導体１７とコイル導体１９との間の距離が広がることで磁気結合が弱まる。よって、コイル１２およびコイル１３のそれぞれの磁気結合時の自己並列共振周波数を調整することができ、広帯域のコモンモードノイズ除去性能の調整が容易となる。
【００８０】
（実施の形態３）
図１２は、実施の形態３におけるコモンモードノイズフィルタ３００１の分解斜視図である。なお、実施の形態３においては、実施の形態１、２と同様の構成を有するものについては、同一符号を付しており、その説明は省略する。
【００８１】
実施の形態３におけるコモンモードノイズフィルタ３００１は、実施の形態１におけるにおけるコモンモードノイズフィルタ１００１と異なり、図１２に示すように、コイル１３を構成するコイル導体１８とコイル導体１９との間に、コイル１２を構成するコイル導体１６とコイル導体１７が配置されている。
【００８２】
図１３は実施の形態３におけるコモンモードノイズフィルタ３００１の回路模式図である。
【００８３】
実施の形態３におけるコモンモードノイズフィルタ３００１は、実施の形態１におけるコモンモードノイズフィルタ１００１と同様に、従来のコモンモードノイズフィルタ５００よりも高周波領域でのコモンモードノイズを減衰させることができる。差動信号が入ってきた場合にはコイル導体１６とコイル導体１７が同電位であるのでコイル導体１６とコイル導体１７との間に浮遊容量が発生せず、ディファレンシャルモードの特性インピーダンスの低下による差動信号の劣化を防ぐことができる。
【００８４】
また、実施の形態３におけるコモンモードノイズフィルタ３００１は、実施の形態２のコモンモードノイズフィルタ２００１と同様に、最も下方に位置するコイル導体１９の下方に配置された金属層１１４をさらに備えてもよい。
【００８５】
なお、コイル導体１６とコイル導体１７との間の距離を、コイル導体１６とコイル導体１８との間の距離およびコイル導体１７とコイル導体１９との間の距離よりも長くしてもよい。すなわち、コモンモードフィルタ２１とコモンモードフィルタ２２の間における磁気結合が弱まことで、コイル１２、コイル１３の磁気結合時の自己並列共振周波数を調整することができ、広帯域のコモンモードノイズ除去性能の調整が容易となる。
【００８６】
（実施の形態４）
図１４は、実施の形態４におけるコモンモードノイズフィルタ４００１の分解斜視図である。なお、実施の形態４においては、実施の形態１〜３と同様の構成を有するものについては、同一符号を付しており、その説明は省略する。
【００８７】
実施の形態４におけるコモンモードノイズフィルタ４００１では実施の形態１におけるコモンモードノイズフィルタ１００１と異なり、図１４に示すように、一端部３０ａがコイル導体１６と接続された一端部３０ａと、開放された一端部３０ｂとを有する渦巻状のコイル導体３０をさらに備える。コイル導体３０は、コイル導体１６と絶縁体層１１ｆの間に設けられた非磁性体の絶縁体層１１ｎ上面に形成され、一端部３０ａが外部電極２２を介してコイル導体１６と電気的に接続されている。
【００８８】
すなわち、コイル導体３０は、コイル導体１６〜１９のうち最も上方に配置されたコイル導体１６と、コイル導体１６よりも上方に配置された金属層１４との間に設けられている。コイル導体１６とコイル導体３０の一端部３０ａとが接続される。さらに、コイル導体１６に流れる電流の向きと、コイル導体３０に流れる電流の向きは上面視で同じである。
【００８９】
上記の構成により、コモンモードノイズが流入した場合は、コイル導体１６〜１９は全てインダクタとして機能してコイル導体３０と磁気結合するとともに、コイル導体１６〜１９には大きなインピーダンスが発生するので、コイル導体１６〜１９のそれぞれとコイル導体３０との間に電位差ができる。これにより、浮遊容量が発生し、この浮遊容量と、コイル導体１６〜１９とコイル導体３０とで共振回路を形成する。よって、より高周波領域でコイル導体３０が大きなインピーダンス成分を有する。この結果、コイル導体３０と金属層１４との間で共振が発生するので、より高い周波数のコモンモードノイズをグランドにバイパスさせることができる。これにより、高周波領域のコモンモードノイズの減衰特性を向上させ、広帯域でのコモンモードノイズ減衰特性を実現できる。
【００９０】
図１５は、実施例として図１４に記載の実施の形態４のコモンモードノイズフィルタ４００１と、比較例として図１６に記載の従来のコモンモードノイズフィルタ５００とのコモンモードノイズ減衰特性を比較した図である。
【００９１】
本実施例におけるコモンモードノイズフィルタでは７００ＭＨｚから３ＧＨｚ帯のコモンモードノイズ減衰に加え、５ＧＨｚのコモンモードノイズも減衰させることができる。つまり、セルラー系無線通信端末や２．４ＧＨｚ帯のＷｉＦｉ通信帯域に加え、５ＧＨｚのＷｉＦｉ通信帯域にも対応しており、広帯域でコモンモードノイズを減衰させることができる。
【００９２】
一方、差動（ディファレンシャル）信号が流入した場合はコイル導体１６、コイル導体１８に発生する磁界はコイル導体１６、１８の線間に集中するので、コイル導体１６の上方および下方の磁界成分はキャンセルされる。これにより、コイル導体１６〜１９には大きなインピーダンスは発生せず低損失な伝送線路として機能するので、コイル導体１６〜１９のぞれぞれとコイル導体３０との間にも浮遊容量や磁気結合は発生しにくくなる。これにより、高い周波数においてはコイル導体３０と金属層１４との間で共振が発生しない。この結果、差動信号がグランドへバイパスされることなく、差動信号のロスが小さくなる。
【００９３】
以上のようにコイル導体３０をコイル導体１６の上方に配置することによって、浸入してくる信号あるいはノイズの差動モードやコモンモードの伝送モードによりコイル導体３０の機能が異なる。これにより、差動信号を劣化させることなく、コモンモードノイズに対して減衰量を確保できる。
【００９４】
なお、金属層１４とコイル導体３０との対向する面積を大きくするために、例えばコイル導体３０のコイル線の幅の一部を局部的に広くして金属層１４との間で発生する容量を大きくしてもよい。これにより、コモンモードノイズが浸入してきたときにグランドとの間で発生する直列共振周波数の値を容易に調整できるようになる。
【００９５】
また、上記した実施の形態２〜４のコモンモードノイズフィルタは、実施の形態１で説明した静電気通過部２７ａ、２７ｂをさらに備えてもよい。
【００９６】
実施の形態１〜４のコモンモードノイズフィルタは、１つのコイル１２および１つのコイル１３を備えるが、２つ以上のコイル１２および２つ以上のコイル１３を備えるアレイタイプであってもよい。
【００９７】
実施の形態１〜４のコモンモードノイズフィルタにおいては、１つのコモンモードフィルタ２０と１つのコモンモードフィルタ２１を備えるが、２つ以上のコモンモードフィルタ２０と２つ以上のコモンモードフィルタ２１を備えてもよい。
【００９８】
なお、実施の形態１〜４において、「上面」「上方」「下方」等の方向を示す用語は、絶縁体層やコイル導体等のコモンモードノイズフィルタの構成部品の相対的な位置関係にのみ依存する相対的な方向を示す用語であり絶対的な方向を示すものではない。
【産業上の利用可能性】
【００９９】
本開示のコモンモードノイズフィルタは、高周波領域のコモンモードノイズの減衰特性を向上させることができるという効果を有し、特にデジタル機器やＡＶ機器、情報通信端末等の各種電子機器のノイズ対策として使用される小形で薄型のコモンモードノイズフィルタ等において有用である。
【符号の説明】
【０１００】
１１ａ  絶縁体層
１１ｂ  絶縁体層（第４の絶縁体層）
１１ｃ  絶縁体層（第２の絶縁体層）
１１ｄ  絶縁体層（第３の絶縁体層）
１１ｅ  絶縁体層（第１の絶縁体層）
１１ｆ  絶縁体層
１１ｇ  絶縁体層（第５の絶縁体層）
１１ｈ  絶縁体層
１１ｉ  絶縁体層
１１ｊ  絶縁体層
１１ｋ  絶縁体層
１２  コイル（第１のコイル）
１２ａ  ビア電極
１３  コイル（第２のコイル）
１３ａ  ビア電極
１４  金属層（第１の金属層）
１５  積層体
１６  コイル導体（第１のコイル導体）
１７  コイル導体（第２のコイル導体）
１８  コイル導体（第３のコイル導体）
１９  コイル導体（第４のコイル導体）
２０  コモンモードフィルタ（第１のコモンモードフィルタ）
２１  コモンモードフィルタ（第２のコモンモードフィルタ）
【図１】
2016072078.tif 000003
【図２】
2016072078.tif 000004
【図３】
2016072078.tif 000005
【図４】
2016072078.tif 000006
【図５】
2016072078.tif 000007
【図６】
2016072078.tif 000008
【図７】
2016072078.tif 000009
【図８】
2016072078.tif 000010
【図９】
2016072078.tif 000011
【図１０】
2016072078.tif 000012
【図１１】
2016072078.tif 000013
【図１２】
2016072078.tif 000014
【図１３】
2016072078.tif 000015
【図１４】
2016072078.tif 000016
【図１５】
2016072078.tif 000017
【図１６】
2016072078.tif 000018
【手続補正書】
【提出日】平成28年11月11日(2016.11.11)
【手続補正１】
【補正対象書類名】特許請求の範囲
【補正対象項目名】請求項９
【補正方法】変更
【補正の内容】
【請求項９】
前記第２の静電気通過部、前記第３の静電気通過部および前記第５の外部電極と電気的に接続されている静電気用電極をさらに備える、請求項７に記載のコモンモードノイズフィルタ。
【国際調査報告】
2016072078.tif 000019
2016072078.tif 000020
2016072078.tif 000021
2016072078.tif 000022